(57)【特許請求の範囲】
【請求項１】
洗濯物を収容して回転駆動される回転ドラムと、前記回転ドラムを内包した水槽と、前記水槽を収納し前記回転ドラムに洗濯物を投入する為の開口部を有する洗濯機筐体と、前記洗濯機筐体に回動自在に軸支され前記開口部を開閉する蓋体と、前記洗濯機筐体に設けた前記蓋体の回転軸部と、前記回転軸部と連結し前記回転軸部を中心とする略円弧状をなし前記蓋体の裏面側と連結する連結部材とを備え、前記蓋体の外周縁は、裏面側の外周縁が表面側の外周縁より前記蓋体の中心側に位置するように傾斜部を有し、前記洗濯機筐体は、前記蓋体の閉時に前記蓋体が収容される凹部を有し、前記凹部の底部近傍には、前記連結部材が貫通する孔部が形成され、前記凹部の側壁は、前記蓋体の外周縁の傾斜部と略平行となるように傾斜させる部分と、前記凹部の底部から伸びる部分とを設けたドラム式洗濯機。
【請求項２】
連結部材は、蓋体裏面と連結部分を略フラットな略平面状部とし、前記連結部材の略円弧状をなす部分と前記略平面状部との交線部が、前記蓋体の裏面側の外周縁の近傍に設けられた請求項１記載のドラム式洗濯機。
【請求項３】
洗濯機筐体の凹部は、少なくとも連結部材に対応する側壁が、前記連結部材の略円弧形状部分と所定の間隔を有し蓋体の回転軸部を中心とした略円弧形状の面とした請求項１または２に記載のドラム式洗濯機。
【発明の詳細な説明】
【技術分野】
【０００１】
本発明は、ドラム式洗濯機に関するもので、特にドラム式洗濯機の筐体内の洗濯物の飛び出しを防ぐ蓋の構成に関するものである。
【背景技術】
【０００２】
従来より、ドラム式洗濯機の筐体には、洗濯機筐体内の洗濯物や洗剤が、機体外に飛び出すことを防止するための蓋が開閉自在に保持されていた（例えば、特許文献１参照）。
【０００３】
図４は、従来の一般的なドラム式洗濯機の蓋の構成を示す要部断面図である。図４において、洗濯機筐体１０１内には、洗濯物を収容する回転ドラム１０２と、回転ドラム１０２を回転自在に内包する水槽１０３が設けられている。洗濯機筐体１０１の前面には洗濯物を出し入れするための開口部１０４が形成されており、その洗濯機筐体１０１の前面には、蓋体１０５が、回転軸部１０６と連結部材１０７により開口部１０４を開閉自在に保持されている。また、その洗濯機筐体１０１の前面には、開口部１０４が底部に位置するように凹部１０８が形成されており、蓋体１０５は、その外径が凹部１０８の内径より小さく、閉持において、凹部１０８に収容される状態となるよう構成され、さらに、凹部１０８の底部１０８ａには、連結部材１０７が貫通し移動する孔部１０９が形成されている。
【特許文献１】特開２００４−８６８３号公報
【発明の開示】
【発明が解決しようとする課題】
【０００４】
しかしながら、上記従来のドラム式洗濯機では、洗濯機筐体１０１の凹部１０８の側壁１０８ｂは、底部１０８ａに対し略直角に形成され、蓋体１０５の外周壁１０５ａは、前記側壁１０８ｂに略平行に形成されているので、洗濯機筐体１０１の正面から見ると、洗濯機筐体１０１の凹部１０８の側壁１０８ｂと蓋本体１０５の外周壁１０５ａの隙間が見えるため、取り付け寸法にバラツキがあるとその隙間が不均一になり、外観性も良くなかった。
【０００５】
また、連結部材１０７に対応する位置での洗濯機筐体１０１の凹部１０８の側壁１０８ｂと蓋本体１０５の外周壁１０５ａの隙間部分には、連結部材１０７が貫通し移動する孔部１０９が見えることとなり、外観性も良くなく、さらに、その部分から、洗濯機筐体１０１内部に水等の異物が入りやすい状態であって、品質的にも劣るものであった。
【０００６】
本発明は、前記従来の課題を解決するもので、簡単な構成で、外観性を向上させ、また、筐体内部に水等の異物が入りにくくし、品質的に向上させた蓋構造を有するドラム式洗濯機を提供することを目的とする。
【課題を解決するための手段】
【０００７】
前記従来の課題を解決するために、本発明のドラム式洗濯機は、洗濯物を収容して回転駆動される回転ドラムと、前記回転ドラムを内包した水槽と、前記水槽を収納し前記回転ドラムに洗濯物を投入する為の開口部を有する洗濯機筐体と、前記洗濯機筐体に回動自在に軸支され前記開口部を開閉する蓋体と、前記洗濯機筐体に設けた前記蓋体の回転軸部と、前記回転軸部と連結し前記回転軸部を中心とする略円弧状をなし前記蓋体の裏面側と連結する連結部材とを備え、前記蓋体の外周縁は、裏面側の外周縁が表面側の外周縁より前記蓋体の中心側に位置するように傾斜部を有し、前記洗濯機筐体は、前記蓋体の閉時に前記蓋体が収容される凹部を有し、前記凹部の底部近傍には、前記連結部材が貫通する孔部が形成され、前記凹部の側壁は、前記蓋体の外周縁の傾斜部と略平行となるように傾斜させる部分と、前記凹部の底部から伸びる部分とを設けたもので、簡単な構成で、凹部の底部が見えないようにして外観性を向上させ、また、筐体内部に水等の異物が入りにくくし、品質的に向上させることができる。
【発明の効果】
【０００８】
本発明のドラム式洗濯機は、簡単な構成で、凹部の底部が見えないようにして外観性を向上させ、また、筐体内部に水等の異物が入りにくくし、品質的に向上させることができる。
【発明を実施するための最良の形態】
【０００９】
第１の発明は、洗濯物を収容して回転駆動される回転ドラムと、前記回転ドラムを内包した水槽と、前記水槽を収納し前記回転ドラムに洗濯物を投入する為の開口部を有する洗濯機筐体と、前記洗濯機筐体に回動自在に軸支され前記開口部を開閉する蓋体と、前記洗濯機筐体に設けた前記蓋体の回転軸部と、前記回転軸部と連結し前記回転軸部を中心とする略円弧状をなし前記蓋体の裏面側と連結する連結部材とを備え、前記蓋体の外周縁は、裏面側の外周縁が表面側の外周縁より前記蓋体の中心側に位置するように傾斜部を有し、前記洗濯機筐体は、前記蓋体の閉時に前記蓋体が収容される凹部を有し、前記凹部の底部近傍には、前記連結部材が貫通する孔部が形成され、前記凹部の側壁は、前記蓋体の外周縁の傾斜部と略平行となるように傾斜させる部分と、前記凹部の底部から伸びる部分とを設けたドラム式洗濯機とすることにより、簡単な構成で、凹部の底部が見えないようにして外観性を向上させ、また、筐体内部に水等の異物が入りにくくし、品質的に向上させることができる。
【００１０】
第２の発明は、特に、第１の発明のドラム式洗濯機の連結部材は、蓋体裏面と連結部分を略フラットな略平面状部とし、前記連結部材の略円弧状をなす部分と前記略平面状部との交線部が、前記蓋体の裏面側の外周縁の近傍に設けられたことにより、蓋体を閉じた状態で、洗濯機筐体の正面から、連結部材が貫通する孔部が完全に見えない状態となるので、筐体内部に水等の異物が入りにくくし、品質的に向上させることができる。
【００１１】
第３の発明は、特に、第１または第２の発明のドラム式洗濯機の洗濯機筐体の凹部は、少なくとも連結部材に対応する側壁が、前記連結部材の略円弧形状部分と所定の間隔を有し蓋体の回転軸部を中心とした略円弧形状の面としたことにより、蓋体の回転軸部からの本体の距離と蓋体の距離が開閉動作した際に常に一定の隙間が保つことができ、蓋体を閉めたときは第１の発明のように外観性を保つことができ、また、連結部材と洗濯機筐体の隙間を指の直径以下に設定しておけば、安全な開閉動作が可能である。
【００１２】
以下、本発明の実施の形態について、図面を参照しながら説明する。なお、この実施の形態によって本発明が限定されるものではない。
【００１３】
（実施の形態１）
図１は、本発明の第１の実施の形態におけるドラム式洗濯機の外観斜視図、図２は、同ドラム式洗濯機の蓋体近傍の要部断面図、図３は、同ドラム式洗濯機の蓋体の要部断面図である。
【００１４】
図１において、洗濯機筐体１の正面側上部には上向き傾斜面１ａが形成され、この傾斜面１ａに洗濯物を出し入れする円形の開口部２を底部に有する凹部３が形成されている。洗濯機筐体１の上向き傾斜面１ａの凹部３には、開口部２を開閉自在に覆う円形の蓋体４が、連結部材５を介して設けられている。
【００１５】
図２に示すように、洗濯機筐体１の内部には、洗濯水を溜める水槽６が揺動可能に支持されており、水槽６の内部には、洗濯物を収容して、回転することにより洗濯する回転ドラム７が回転自在に設けられている。回転ドラム７は、モータ（図示せず）により回転駆動される。
【００１６】
蓋体４は、洗濯機筐体１に設けられた回転軸部８に回転自在に軸支された連結部材５の
平坦部５ａに連結され、開口部２を開閉するように回転自在に保持されており、ポリプロピレンで成型された蓋本体９、さらに耐薬品性が高いポリプロピレンで成型された蓋裏板１０、ガラスで成型された透明窓１１、透明ＡＢＳで成型された蓋カバー１２および耐薬ＡＢＳで成型された化粧板１３等より構成されている。
【００１７】
蓋本体９は、略環状を成しており、その略中央部に洗濯機筐体１の外方側から回転ドラム５の内方側に向けて立設した蓋本体内壁９ａを略環状に設けている。蓋裏板１０は、略環状を成しており、蓋本体９の洗濯機筐体１内方に設けられ、その外周部には洗濯機筐体１の内方側から洗濯機筐体１の外方側に向けて立設した蓋裏板外壁１０ａを形成している。
【００１８】
透明窓１１は、回転ドラム７側に凹になるように略凹状を成しており、その上端部に外周方向に突出したフランジ部１１ａを略全周に設けている。フランジ部１１ａは、蓋本体内壁９ａの先端部と蓋裏板１０の内周の内面とで挟持されている。蓋本体９の内面側には、先端部に穴部９ｂを有するボス９ｃが立設されており、蓋裏板９には、ボス９ｃの対応位置に貫通孔１０ｂが設けられており、蓋本体９と蓋裏板１０とは、透明窓１１のフランジ部１１ａが挟持された状態で、ねじ１４が貫通孔１０ｂを介してボス９ｃの穴部９ｂに締め付けられることで固定されている。
【００１９】
蓋本体９の蓋本体内壁９ａの根元側の洗濯機筐体１の外方側面には、一段下がった内周段部９ｄが形成されており、蓋カバー１２の外周縁に設けられ蓋カバー１２の表面より一段下がったところに形成された蓋カバーフランジ部１２ａが収容されている。蓋本体８の洗濯機筐体１外方側には、略環状の化粧板１３が設けられ、蓋カバーフランジ部１２ａが内周段部９ｄに収容された状態で、略環状の化粧板１３の内周の内面が蓋カバーフランジ部１２ａを外側から覆うことで蓋カバー１１を挟持している。
【００２０】
図３に示すように、化粧板１３の外周には、蓋裏板１０側に突出した化粧板外周壁１３ａを形成し、蓋裏板１０の蓋裏板外壁１０ａの先端部には、化粧板外周壁１３ａに対応するように一段下がった外周段部１０ｃが形成されている。化粧板外周壁１３ａの内面側には、複数箇所に内方向へ凸の爪１３ｂを形成し、外周段部１０ｃには、その外面側に爪１３ｂに対応する引掛け凹部１０ｇが形成され、爪１３ｂが引掛け凹部１０ｇに係止されることで、化粧板１３が蓋本体９の表面側に固定されるように構成している。
【００２１】
蓋体４の外周縁は、裏面側の外周縁、すなわち、蓋裏板１０の底部外周縁１０ｅが、表面側の外周縁、すなわち、化粧板外周壁１３ａおよび蓋裏板外壁１０ａの先端部の外周縁より蓋体４の中心側に位置するように傾斜した傾斜部１０ｄを蓋裏板外壁１０ａに形成している。
【００２２】
洗濯機筐体１の傾斜面１ａの凹部３の側壁３ａは、蓋体４の外周縁の傾斜部１０ｄに略平行となるように傾斜した傾斜形状としている。これにより、凹部３の側壁３ａと底部３ｂとの交線は、蓋体４の外周縁より蓋体４の中心側に位置し、蓋体４が閉じられた状態で、洗濯機筐体１の正面から見ると、凹部３の底部３ｂが見えないようになっている。
【００２３】
連結部材５は、回転軸部８に連結する略平面状の連結部５ｂと、一端が連結部５ｂと接続し回転軸部８を中心とした略円弧形状をなす略円弧形状部５ｃと、略円弧形状部５ｃの他端と接続され回転軸部８に対し外径方向に延びた略平面状の平坦部５ａとから構成されている。
【００２４】
連結部材５は、凹部３の底部３ｂに設けたスリット孔３ｃを介して、洗濯機筐体１の内部から外部に挿通されており、そのスリット孔３ｃ内を連結部材５の略円弧形状部５ｃが
移動している。
【００２５】
連結部材５の平坦部５ａの対応位置には、蓋本体９の内面側に、先端部に穴部９ｅを有するボス９ｆが立設されており、蓋裏板１０は、連結部材５の平坦部５ａに対応するように一段下げた取付部１０ｅを形成し、そのボス９ｆの穴部９ｅに対応するように連結部材５の平坦部５ａおよび蓋裏板１０の取付部１０ｅにそれぞれ貫通孔５ｄおよび貫通孔１０ｆが設けられており、蓋本体９と蓋裏板１０と連結部材５の平坦部５ａとは、ねじ１５が貫通孔５ｄおよび貫通孔１０ｆを介してボス９ｆの穴部９ｅに締め付けられることで、蓋体４と連結部材５とが固定されている。
【００２６】
連結部材５の平坦部５ａと略円弧形状部５ｃの接続部分は、蓋裏板１０の底部外周縁１０ｅと略同位置になるように構成されており、さらに、連結部材５の略円弧形状部５ｃが挿通するスリット孔３ｃも、連結部材５の平坦部５ａと略円弧形状部５ｃの接続部分と略同位置の凹部３の底部３ｂに形成され、よって、蓋体４が閉じられた状態で、洗濯機筐体１の正面から見ると、スリット孔３ｃが見えないようになっている。
【００２７】
これによって、蓋体４が閉じられた状態で、洗濯機筐体１の外部から、スリット孔３ｃを介して、洗濯機筐体１の内部に、水等の異物が入り込むことを防止することができ、安全性を向上させることができる。
【００２８】
また、連結部材５の略円弧形状部５ｃに対応する凹部３の側壁３ｄは、回転軸部８を中心とした略円弧形状とし、連結部材５の略円弧形状部５ｃと所定の間隔、例えば、子供の指の径より小さい寸法とし、そうすることで、蓋体の回転軸部からの本体の距離と蓋体の距離が開閉動作した際に常に一定の隙間が保つことができ、蓋体を閉めたときの外観性を保つことができ、また、連結部材と洗濯機筐体の隙間を指の直径以下に設定することで、子供の指が連結部材と洗濯機筐体間に入り込むのを確実に防止することができ、安全な開閉動作を実現することができる。
【００２９】
なお、上記実施の形態１では、凹部３および蓋体４を構成する蓋本体９、蓋裏板１０、透明窓１１、蓋カバー１２および化粧板１３は、円筒状、環状または円盤状としたが、多角形状、例えば四角形状としても、同等の効果を奏することができる。
【産業上の利用可能性】
【００３０】
以上のように、本発明にかかるドラム式洗濯機は、簡単な構成で、外観の美観性を向上させ、薬品による損傷を受けにくく、また、筐体内部に水等の異物が入りにくくし、品質的に向上させることができるもので、外観性をよくするとともに、内部への異物混入を防止する蓋体を必要とする機器に広く適用できるものである。
【図面の簡単な説明】
【００３１】
【図１】本発明の実施の形態１におけるドラム式洗濯機の外観斜視図
【図２】同ドラム式洗濯機の蓋体近傍の要部断面図
【図３】同ドラム式洗濯機の蓋体の要部断面図
【図４】従来のドラム式洗濯機の要部断面図
【符号の説明】
【００３２】
１  洗濯機筐体
２  開口部
３  凹部
３ａ  凹部の側壁
３ｃ  スリット孔（孔部）
４  蓋体
５  連結部材
６  水槽
７  回転ドラム
８  回転軸部
１０ｄ  傾斜部
【図１】
0004539504.tif 000002
【図２】
0004539504.tif 000003
【図３】
0004539504.tif 000004
【図４】
0004539504.tif 000005